【手続補正書】
【提出日】平成16年9月29日(2004.9.29)
【手続補正１】
【補正対象書類名】明細書
【補正対象項目名】発明の名称
【補正方法】変更
【補正の内容】
【発明の名称】カラー画像形成装置
【手続補正２】
【補正対象書類名】明細書
【補正対象項目名】特許請求の範囲
【補正方法】変更
【補正の内容】
【特許請求の範囲】
【請求項１】
原稿からカラー画像情報を読み取る画像読取部と、
読み取ったカラー画像情報に基づいて、画像形成条件に従ってカラー画像を出力するカラー画像形成部とを備えるカラー画像形成装置において、
カラー画像情報から原稿の地肌の色情報と濃度情報とを分離する分離手段と、
分離された原稿の地肌の色情報と濃度情報とに応じて前記画像形成条件を変更する制御手段とを備えることを特徴とするカラー画像形成装置。
【請求項２】
原稿の地肌の色情報と地肌の濃度情報とを記憶する記憶手段と、
記憶された原稿の地肌の色情報と濃度情報とを分離した原稿の地肌の色情報と濃度情報と比較する比較手段を備え、
前記制御手段は比較結果に応じて原稿の地肌の色情報と濃度情報との再現レベルを切り替えることを特徴とする請求項１に記載のカラー画像形成装置。
【請求項３】
前記記憶手段は、予め任意の原稿の地肌の色情報と濃度情報とを記憶することを特徴とする請求項１又は２に記載のカラー画像形成装置。
【請求項４】
前記分離手段で分離した前記原稿の地肌の色情報と濃度情報とを前記記憶手段に記憶せしめる地肌情報登録モードへのモード切り替え手段を備えることを特徴とする請求項１、２又は３に記載のカラー画像形成装置。
【請求項５】
前記制御手段は原稿の地肌情報を再現しない画像処理を施すことを特徴とする請求項１，２，３又は４に記載のカラー画像形成装置。
【請求項６】
前記画像処理は原稿の地肌レベルを白レベルとして再現する処理であることを特徴とする請求項１，２，３，４又は５に記載のカラー画像形成装置。
【請求項７】
前記制御手段は、前記画像読取部で読み取ったカラー画像情報の一部であって前記記憶された原稿の地肌の色情報と濃度情報とに対応する部分は再現しない地肌レベル非再現処理を施し、
前記地肌レベル非再現処理の実行を指示する設定手段を備えることを特徴とする請求項１，２，３，４，５又は６に記載のカラー画像形成装置。
【請求項８】
原稿からカラー画像情報及びモノクロ画像情報を読み取る画像読取部と、
複数の給紙トレイと、
読み取ったカラー画像情報に基づいて、給紙トレイから給紙された転写紙にカラー画像を出力する画像形成部とを備えるカラー画像形成装置において、
カラー画像情報から原稿の地肌色情報を分離する分離手段と、
分離した地肌色情報に基づいて当該原稿を分類する分類手段と、
複数の給紙トレイ毎に収納された転写紙の分類に対応して給紙トレイ毎に属性を付与する付与手段と、
原稿の分類に合致する属性が付与された給紙トレイを選択し、選択した給紙トレイから転写紙を給紙して画像形成することを特徴とするカラー画像形成装置。
【請求項９】
前記複数の給紙トレイに対して収納するモノクロ用転写紙又はカラー用転写紙に対応する属性を付与し、
カラー画像情報を読み取った場合にはカラー用転写紙に対応する属性を付与された給紙トレイを選択することを特徴とする請求項８に記載のカラー画像形成装置。
【請求項１０】
前記カラー画像情報に文字領域、印刷／写真領域が含まれるかを判別する領域判別手段を備え、
前記カラー画像情報に文字領域のみが含まれる場合に、モノクロ用転写紙に対応する属性を付与された給紙トレイを選択してカラー画像形成を実行し、
前記カラー画像情報に印刷／写真領域が含まれる場合に、カラー用転写紙に対応する属性を付与された給紙トレイを選択してカラー画像形成を実行することを特徴とする請求項８又は９に記載のカラー画像形成装置。
【請求項１１】
原稿からカラー画像情報を読み取る画像読取部と、
読み取ったカラー画像情報に基づいて、転写紙にカラー画像を出力する画像形成部とを備えるカラー画像形成装置において、
カラー画像情報における一定の濃度と色味情報が連続する部分を原稿の地肌領域と、画像情報が含まれる画像領域とを分離して領域判別する領域判別手段と、
全領域に対する前記地肌領域の占有率を求める手段と、
原稿の地肌領域の再現を禁止する画像処理条件を設定するモード選択手段とを有し、
前記占有率に応じて原稿地肌領域の再現を禁止することを特徴とするカラー画像形成装置。
【手続補正３】
【補正対象書類名】明細書
【補正対象項目名】０００１
【補正方法】変更
【補正の内容】
【０００１】
【発明の属する技術分野】
この発明は、電子写真方式を利用して転写紙にカラー画像を形成するカラー画像形成装置に関する。
【手続補正４】
【補正対象書類名】明細書
【補正対象項目名】０００２
【補正方法】削除
【補正の内容】
【手続補正５】
【補正対象書類名】明細書
【補正対象項目名】０００３
【補正方法】削除
【補正の内容】
【手続補正６】
【補正対象書類名】明細書
【補正対象項目名】００２４
【補正方法】変更
【補正の内容】
【００２４】
【発明が解決しようとする課題】
本発明は再生紙などのカラー地肌原稿をカラー複写する場合でも、かぶり画像の再現を防止するカラー画像形成装置の提供を目的とする。
【手続補正７】
【補正対象書類名】明細書
【補正対象項目名】００２５
【補正方法】削除
【補正の内容】
【手続補正８】
【補正対象書類名】明細書
【補正対象項目名】００２７
【補正方法】削除
【補正の内容】
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】変更
【補正の内容】
【００２９】
【課題を解決するための手段】
本発明の課題は請求項１に記載のカラー画像形成装置によって解決できる。即ち、請求項１に記載のカラー画像形成装置は、原稿からカラー画像情報を読み取る画像読取部と、
読み取ったカラー画像情報に基づいて、画像形成条件に従ってカラー画像を出力するカラー画像形成部とを備えるカラー画像形成装置において、
カラー画像情報から原稿の地肌の色情報と濃度情報とを分離する分離手段と、
分離された原稿の地肌の色情報と濃度情報とに応じて前記画像形成条件を変更する制御手段とを備えることを特徴とする。
【手続補正１１】
【補正対象書類名】明細書
【補正対象項目名】００３０
【補正方法】削除
【補正の内容】
【手続補正１２】
【補正対象書類名】明細書
【補正対象項目名】００３１
【補正方法】削除
【補正の内容】
【手続補正１３】
【補正対象書類名】明細書
【補正対象項目名】００３３
【補正方法】変更
【補正の内容】
【００３３】
本発明の課題は請求項８に記載のカラー画像形成装置によって解決できる。即ち、請求項８に記載のカラー画像形成装置は、原稿からカラー画像情報及びモノクロ画像情報を読み取る画像読取部と、複数の給紙トレイと、読み取ったカラー画像情報に基づいて、給紙トレイから給紙された転写紙にカラー画像を出力する画像形成部とを備えるカラー画像形成装置において、カラー画像情報から原稿の地肌色情報を分離する分離手段と、分離した地肌色情報に基づいて当該原稿を分類する分類手段と、複数の給紙トレイ毎に収納された転写紙の分類に対応して給紙トレイ毎に属性を付与する付与手段と、原稿の分類に合致する属性が付与された給紙トレイを選択し、選択した給紙トレイから転写紙を給紙して画像形成することを特徴とする。
【手続補正１４】
【補正対象書類名】明細書
【補正対象項目名】００３５
【補正方法】変更
【補正の内容】
【００３５】
本発明の課題は請求項１１に記載の画像形成装置によって解決できる。即ち、請求項
１１に記載のカラー画像形成装置は、原稿からカラー画像情報を読み取る画像読取部と、読み取ったカラー画像情報に基づいて、転写紙にカラー画像を出力する画像形成部とを備えるカラー画像形成装置において、カラー画像情報における一定の濃度と色味情報が連続する部分を原稿の地肌領域と、画像情報が含まれる画像領域とを分離して領域判別する領域判別手段と、全領域に対する前記地肌領域の占有率を求める手段と、原稿の地肌領域の再現を禁止する画像処理条件を設定するモード選択手段とを有し、前記占有率に応じて原稿地肌領域の再現を禁止することを特徴とする。
【手続補正１５】
【補正対象書類名】明細書
【補正対象項目名】００３７
【補正方法】削除
【補正の内容】
【手続補正１６】
【補正対象書類名】明細書
【補正対象項目名】００３８
【補正方法】削除
【補正の内容】
【手続補正１７】
【補正対象書類名】明細書
【補正対象項目名】００３９
【補正方法】削除
【補正の内容】
【手続補正１８】
【補正対象書類名】明細書
【補正対象項目名】００４０
【補正方法】削除
【補正の内容】
【手続補正１９】
【補正対象書類名】明細書
【補正対象項目名】０３０６
【補正方法】変更
【補正の内容】
【０３０６】
【発明の効果】
請求項１に記載のカラー画像形成装置によれば、再生紙などのカラー地肌原稿をカラー複写する場合でも、かぶり画像の再現を防止できる。
【手続補正２０】
【補正対象書類名】明細書
【補正対象項目名】０３０７
【補正方法】削除
【補正の内容】
【手続補正２１】
【補正対象書類名】明細書
【補正対象項目名】０３０８
【補正方法】変更
【補正の内容】
【０３０８】
請求項８に記載のカラー画像形成装置によれば、原稿がカラー情報を備える場合に、カラー画像形成に適した転写紙を選択することができる。
【手続補正２２】
【補正対象書類名】明細書
【補正対象項目名】０３０９
【補正方法】変更
【補正の内容】
【０３０９】
請求項１１に記載のカラー画像形成装置によれば、再生紙などのカラー原稿による複写でも、かぶり画像の再現を防止できる。
【手続補正２３】
【補正対象書類名】明細書
【補正対象項目名】０３１０
【補正方法】削除
【補正の内容】
【手続補正２４】
【補正対象書類名】明細書
【補正対象項目名】０３１１
【補正方法】削除
【補正の内容】